(57)【要約】【課題】従来の潮流発電では発電ユニットそのものが一体型になって海中又は、海底に設置されてあり、必要不可欠のメンテナンスは大きな課題になるのである。又、トラブルが発生してからメンテナンスが始まるのである。メンテナンスの期間中は発電は停止するのである、タービンが裸体で海中で回転をすると魚群がその海域から遠ざかり、漁業権問題が発生するのである。本発明はこれらの不都合を解決出来るものである。【解決手段】発電ユニットを浮体内に設置し、スライド管は常時、簡単に浮体上部に取出してメンテナンスが出来るのである、メンテナンス完了の予備品と交換する事で発電を継続出来るのである、プロペラはスライド管に収まってあるので魚群、浮遊物に接触する事はないのである【選択図】図１
2020056391.tif 000002
【特許請求の範囲】
【請求項１】
発電浮体の底板からスライド管が海中に降下する為の四角の開口部を、ほぼ等間隔で多数設けた事を特徴とする潮流発電浮体。
【請求項２】
潮流の圧力によってプロペラの回転を得る為に、外側鋼管と一組になっている、メンテナンスが容易なプロペラ内蔵のスライド管を多数設けた事を特徴とする潮流発電浮体。
【請求項３】
潮流を最大限、活用する為に、潮流の正流、逆流の流向に対応する為に、スライド管の前面と後面に右回転プロペラと左回転プロペラを設けて、潮流の流向にかかわらず発電機シャフトを常に同一方向の回転で発電が出来る事を特徴とする、潮流発電浮体。
【発明の詳細な説明】
【技術分野】
【０００１】本発明は潮流発電に関するものであって、プロペラを内蔵したスライド管を浮体底の開口部から海中にスライド下降して、潮流の圧力を受けてプロペラが高速回転するものである、尚且つ、プロペラ内蔵のスライド管は浮体上部のクレーンで簡単に上部に引き上げて、浮体上部でメンテナンスが容易に出来るものである、従来の海中発電装置では最大の難題が発電ユニットのメンテナンスであり、この課題を、潮流発電浮体は簡単に解決出来るものである。又、スライド管内にはタテ列でプロペラを３基、設置してあり、それぞれの回転力を伝動歯車によって１本のタテ軸に集約して、浮体上部の発電機シャフト１本に複数のタテ軸の伝動歯車で回転を集約する事で、より一層の大きな強い回転力で発電タービンを駆動出来るのである。浮体内には外側鋼管を３０基設置してあり、その中にスライド管が備わっていて、そのスライド管を海中に降ろした時から潮流の圧力によってプロペラ回転が始まるのである、外側鋼管３０基の中に３基のプロペラを備えたスライド管があり、合計９０基の回転力を集約して、数基の発電機シャフトに伝動して大きな回転力で発電タービンを駆動する事で電気エネルギーを得る事が出来るのである。
【背景技術】
【０００２】従来から、海中発電の多くは発電装置を海上の浮体物からの吊り下げ又は、海中もしくは、海底に支柱及びロープを備えて、発電装置を海中に固定して稼働しているのである。定期的な装置、器具のメンテナンスが必要である場合には、潜水士が海中に潜って状況を確認するのである。又は、発電装置を海面上、又は船上に引き上げてメンテナンスをするのである。そして、その期間は発電は停止するのである、海中で裸体のプロペラが回転すれば魚群が遠ざかるのである。
【先行技術文献】
【特許文献１】特開２０１６−１６０９２８号公報
【特許文献２】特開２０１４−２２７９８８号公報
【発明の開示】
【発明が解決しようとする課題】
【０００３】海中に備えた物体にはフジツボ、海藻類が短期間の間に隙間なくびっしりと付着し、又は、海中浮遊物、大型魚の接触等でプロペラ及び海中発電装置に不具合が生じた時は海上では、その状況を判断出来ず、潜水士が海中に潜り、状況の確認をして大がかりな装置を海面上に浮上さして、メンテナンス作業をするのである、そして、その間は発電作業は停止するのである。又、海中で裸体のプロペラが回転すれば、魚群がその海域から遠ざかって漁業権問題が発生するのである。本発明は、浮体上に常駐の作業員を配置して、メンテナンスは浮体上で日常の業務として行い、浮体上のクレーンで外側鋼管の中からスライド管を浮体上部に引き上げて、予備品と交換すれば、発電を継続出来るのである。又、３基のプロペラはスライド管に収まっているので、魚群には影響せず、浮遊物等で損傷する事もないのである。本発明は、これらの課題を解決する為になされたものである。
【課題を解決するための手段】
【０００４】この課題を解決するため請求項１の発明は発電ユニットを浮体内に設けて、メンテナンスが常時出来る発電浮体である。浮体底に多数の開口部を設けて、スライド管をその開口部から海中に降下する事でプロペラが回転するのである、メンテナンスの時は浮体上部のクレーンでスライド管を浮体上部に引き上げて、予備品と簡単に交換出来る事を特徴とする簡単取り換えの出来るプロペラ発電装置である。【０００５】請求項２の発明は、発電浮体内に外側鋼管を３０基設置してあり、その中にスライド管を設けたものである。メンテナンスの時は外側鋼管の中のスライド管を浮体上部クレーンで引き上げて素早く予備のスライド管と交換すれば、発電稼働を止めることなく発電を継続出来るのである。メンテナンスは浮体上に常駐の作業員が浮体上で日々の業務として行う事が出来るのである。スライド管が３０基あれば、スライド管を１日１基の交換として、一か月間でスライド管３０基の全てがメンテナンス出来るのである。【０００６】請求項３の発明は、潮流は１日４回の正流、逆流と流向の転流があり、いずれの流向にも対応する為にスライド管の前面と後面に右回転プロペラと左回転プロペラを設けたものである。
【発明の効果】
【０００７】本発明により、潮流発電浮体を潮流海域に曳航して、定点で、アンカーで固定、係留して浮体内のスライド管を浮体底板の開口部から海中にスライド下降すれば、強い潮流の水圧でプロペラは強く早く回転をして、環境に優しく、静かで、魚類を追いやる事なく、大きな電力を得る事が出来るのである。裸体のタービンを海中で稼働すれば魚達はその海域から遠ざかるのである。
【発明を実施するための最良の形態】
【０００８】図１は発電ユニットの斜視図である。発電浮体１隻で外側鋼管を３０基設置してあり、内蔵のスライド管一基でプロペラを３基設置してあるので合計９０基のプロペラを回転することで大きな電力量を得る事が出来るのである。発電機シャフト１本には、それぞれのスライド管から上に伸びた、タテ軸数本の伝動歯車よって、それぞれの回転エネルギーを１本のシャフトに集約して大きな回転力で発電機シャフトを回して大きな電力を発生出来るのである。
１隻の浮体に浮体底の開口部と、外側鋼管３０基の数を増やす事は十分に可能である。
沢山のプロペラ軸の回転があっても伝動歯車でその回転を数基のタテ軸で発電機シャフト１本に集約する事で発電機の台数は数台で可能である事が特徴の発電浮体である。【０００９】図２はスライド管には、前面と後面を１組にした、３基のプロペラを設けた事を特徴とするスライド管の断面図である、図面の様にプロペラの回転を伝動歯車でタテ軸を回し、上部のクラッチをシャフト側クラッチに結合する事で発電機シャフトを回転さして発電が出来るものである。当、発明のタテ軸数本が発電機シャフト１本に繋がって回転力を集約して大きなエネルギーで発電機シャフトを回すものである。【００１０】図３は、外側鋼管フランジを浮体底の開口部に強くボルトで固定してスライド管を海中に降ろす事を特徴とする発電ユニットの正面図である。同図に示す様に、外側鋼管の中のスライド管を海中に降ろす事で簡単に潮流を受けてプロペラが回転するのである。【００１１】図４は、スライド管に３基のプロペラを設けた事を特徴とするスライド管の正面図である。
同図に示す様に、海中に降ろして潮流を受けてプロペラが回転し、タテ軸を回して、上部のクラッチをシャフト側クラッチに結合すれば、歯車の伝動で発電機シャフトが回転して発電が出来るのである。又、クレーンフックを使ってスライド管の交換が簡単に出来るのである。【００１２】図５は、発電機を浮体上に設置したことを特徴とする発電ユニットを備えた発電浮体の断面図である。外側鋼管の上部は吃水線の上部にあり海水の流入を防ぐのである、又、スライド管の海中落下を防止する為にスライド管固定ボルトを締めて固定するものである。【００１３】図６は、魚や浮遊物が接触しないために、プロペラの前面と後面にプロペラ保護柵を設けた事を特徴とするスライド管の正面図である。海中では魚群や浮遊物が沢山あり、プロペラの損傷を防止出来るのである。【００１４】図７は、発電機シャフトには複数のプロペラ回転のタテ軸が繋がっている事が特徴のスライド管の断面図である、発電機シャフト１本には複数の回転タテ軸が繋がってそれぞれの回転力を集約して大きな回転エネルギーを得るのである。又、浮体内に数十のスライド管を設けても、発電機は数台で回転エネルギーを集約できるのである。【００１５】図８は、発電浮体の底板に数十の開口部を設けた事が特徴の浮体底平面図である。この開口部からスライド管が海中に降下するのである、浮体の型は強い波浪に耐える為に菱形船型にしてある。又、浮体の外壁は２５度の角度で上部にせりあがってある。
【産業上の利用可能性】
【００１６】本発明に係る発電浮体は造船所で建造されるもので、産業上の利用可能性を有するものである。【００１７】国内及び世界中の農、漁村が都市化に進むにつれて、環境無害の電力供給を行う事が重要である。潮流発電機器のメンテナンスが確実に出来れば潮流電力は恒久的に供給出来るのである。【００１８】南極の氷山が雄叫びを上げて崩れてゆく姿を見れば，地球環境に真剣に対応する事が大きな課題である。その為の一環として潮流発電を提供するものである。
【符号の説明】１    外側鋼管
２    スライド管
３    プロペラ
４    プロペラ伝動歯車
５    回転タテ軸
６    シャフト伝動歯車
７    発電機
８    発電機シャフト
９    クラッチ
１０  浮体底床材
１１  外側鋼管フランジ
１２  クレーンフック
１３  プロペラ軸固定盤
１４  吃水線
１５  プロペラ保護柵
１６  浮体底部
１７  浮体の側壁
１８  浮体底開口部
１９  スライド管固定ボルト
２０  潮流
【図１】
2020056391.tif 000003
【図２】
2020056391.tif 000004
【図３】
2020056391.tif 000005
【図４】
2020056391.tif 000006
【図５】
2020056391.tif 000007
【図６】
2020056391.tif 000008
【図７】
2020056391.tif 000009
【図８】
2020056391.tif 000010
【手続補正書】
【提出日】平成31年3月2日(2019.3.2)
【手続補正１】
【補正対象書類名】明細書
【補正対象項目名】全文
【補正方法】変更
【補正の内容】
【発明の詳細な説明】
【技術分野】
【０００１】本発明は潮流発電に関するものであって、プロペラを内蔵したスライド管を浮体底の開口部から海中にスライド下降して、潮流の圧力を受けてプロペラが高速回転するものである、尚且つ、プロペラ内蔵のスライド管は浮体上部のクレーンで簡単に上部に引き上げて、浮体上部でメンテナンスが容易に出来るものである、従来の海中発電装置では最大の難題が発電ユニットのメンテナンスであり、この課題を、潮流発電浮体は簡単に解決出来るものである。又、スライド管内にはタテ列でプロペラを３基、設置してあり、それぞれの回転力を伝動歯車によって１本のタテ軸に集約して、浮体上部の発電機シャフト１本に複数のタテ軸の伝動歯車で回転を集約する事で、より一層の大きな強い回転力で発電タービンを駆動出来るのである。浮体内には外側鋼管を３０基設置してあり、その中にスライド管が備わっていて、そのスライド管を海中に降ろした時から潮流の圧力によってプロペラ回転が始まるのである、外側鋼管３０基の中に３基のプロペラを備えたスライド管があり、合計９０基の回転力を集約して、数基の発電機シャフトに伝動して大きな回転力で発電タービンを駆動する事で電気エネルギーを得る事が出来るのである。
【背景技術】
【０００２】従来から、海中発電の多くは発電装置を海上の浮体物からの吊り下げ又は、海中もしくは、海底に支柱及びロープを備えて、発電装置を海中に固定して稼働しているのである。定期的な装置、器具のメンテナンスが必要である場合には、潜水士が海中に潜って状況を認するのである。又は、発電装置を海面上、又は船上に引き上げてメンテナンスをするのである。そして、その期間は発電は停止するのである、海中で裸体のプロペラが回転すれば魚群が遠ざかるのである。
【先行技術文献】
【特許文献１】特開２０１６−１６０９２８号公報
【特許文献２】特開２０１４−２２７９８８号公報
【発明の開示】
【発明が解決しようとする課題】
【０００３】海中に備えた物体にはフジツボ、海藻類が短期間の間に隙間なくびっしりと付着し、又は、海中浮遊物、大型魚の接触等でプロペラ及び海中発電装置に不具合が生じた時は海上では、その状況を判断出来ず、潜水士が海中に潜り、状況の確認をして大がかりな装置を海面上に浮上さして、メンテナンス作業をするのである、そして、その間は発電作業は停止するのである。又、海中で裸体のプロペラが回転すれば、魚群がその海域から遠ざかって漁業権問題が発生するのである。本発明は、浮体上に常駐の作業員を配置して、メンテナンスは浮体上で日常の業務として行い、浮体上のクレーンで外側鋼管の中からスライド管を浮体上部に引き上げて、予備品と交換すれば、発電を継続出来るのである。又、３基のプロペラはスライド管に収まっているので、魚群には影響せず、浮遊物等で損傷する事もないのである。本発明は、これらの課題を解決する為になされたものである。
【課題を解決するための手段】
【０００４】この課題を解決するため請求項１の発明は発電ユニットを浮体内に設けて、メンテナンスが常時出来る発電浮体である。浮体底に多数の開口部を設けて、スライド管をその開口部から海中に降下する事でプロペラが回転するのである、メンテナンスの時は浮体上部のクレーンでスライド管を浮体上部に引き上げて、予備品と簡単に交換出来る事を特徴とする簡単取り換えの出来るプロペラ発電装置である。【０００５】請求項２の発明は、発電浮体内に外側鋼管を３０基設置してあり、その中にスライド管を設けたものである。メンテナンスの時は外側鋼管の中のスライド管を浮体上部クレーンで引き上げて素早く予備のスライド管と交換すれば、発電稼働を止めることなく発電を継続出来るのである。メンテナンスは浮体上に常駐の作業員が浮体上で日々の業務として行う事が出来るのである。スライド管が３０基あれば、スライド管を１日１基の交換として、一か月間でスライド管３０基の全てがメンテナンス出来るのである。【０００６】請求項３の発明は、潮流は１日４回の正流、逆流と流向の転流があり、いずれの流向にも対応する為にスライド管の前面と後面に右回転プロペラと左回転プロペラを設けたものである。
【発明の効果】
【０００７】本発明により、潮流発電浮体を潮流海域に曳航して、定点で、アンカーで固定、係留して浮体内のスライド管を浮体底板の開口部から海中にスライド下降すれば、強い潮流の水圧でプロペラは強く早く回転をして、環境に優しく、静かで、魚類を追いやる事なく、大きな電力を得る事が出来るのである。裸体のタービンを海中で稼働すれば魚達はその海域から遠ざかるのである。
【図面の簡単な説明】
【０００８】
【図１】は、発電ユニットの斜視図である。発電浮体１隻で外側鋼管を３０基設置してあり、内蔵のスライド管一基でプロペラを３基設置してあるので合計９０基のプロペラを回転することで大きな電力量を得る事が出来るのである。発電機シャフト１本には、それぞれのスライド管から上に伸びた、タテ軸数本の伝動歯車よって、それぞれの回転エネルギーを１本のシャフトに集約して大きな回転力で発電機シャフトを回して大きな電力を発生出来るのである。１隻の浮体に浮体底の開口部と、外側鋼管３０基の数を増やす事は十分に可能である。沢山のプロペラ軸の回転があっても伝動歯車でその回転を数基のタテ軸で発電機シャフト１本に集約する事で発電機の台数は数台で可能である事が特徴の発電浮体である。
【０００９】
【図２】は、レタス  スライド管には、前面と後面を１組にした、３基のプロペラを設けた事を特徴とするスライド管の断面図である、図面の様にプロペラの回転を伝動歯車でタテ軸を回し上部のクラッチをシャフト側クラッチに結合する事で発電機シャフトを回転さして発電が出来るものである。当、発明のタテ軸数本が発電機シャフト１本に繋がって回転力を集約して大きなエネルギーで発電機シャフトを回すものである。
【００１０】
【図３】は、外側鋼管フランジを浮体底の開口部に強くボルトで固定してスライド管を海中に降ろす事を特徴とする発電ユニットの正面図である。同図に示す様に、外側鋼管の中のスライド管を海中に降ろす事で簡単に潮流を受けてプロペラが回転するのである。
【００１１】
【図４】は、スライド管に３基のプロペラを設けた事を特徴とするスライド管の正面図である。同図に示す様に、海中に降ろして潮流を受けてプロペラが回転し、タテ軸を回して、上部のクラッチをシャフト側クラッチに結合すれば、歯車の伝動で発電機シャフトが回転して発電が出来るのである。又、クレーンフックを使ってスライド管の交換が簡単に出来るのである。
【００１２】
【図５】は、発電機を浮体上に設置したことを特徴とする発電ユニットを備えた発電浮体の断面図である。外側鋼管の上部は吃水線の上部にあり海水の流入を防ぐのである、又、スライド管の海中落下を防止する為にスライド管固定ボルトを締めて固定するものである。
【００１３】
【図６】は、魚や浮遊物が接触しないために、プロペラの前面と後面にプロペラ保護柵を設けた事を特徴とするスライド管の正面図である。海中では魚群や浮遊物が沢山あり、プロペラの損傷を防止出来るのである。
【００１４】
【図７】は、発電機シャフトには複数のプロペラ回転のタテ軸が繋がっている事が特徴のスライド管の断面図である、発電機シャフト１本には複数の回転タテ軸が繋がってそれぞれの回転力を集約して大きな回転エネルギーを得るのである。又、浮体内に数十のスライド管を設けても、発電機は数台で回転エネルギーを集約できるのである。
【００１５】
【図８】は、発電浮体の底板に数十の開口部を設けた事が特徴の浮体底平面図である。この開口部からスライド管が海中に降下するのである、浮体の型は強い波浪に耐える為に菱形船型にしてある。又、浮体の外壁は２５度の角度で上部にせりあがってある。
【産業上の利用可能性】
【００１６】本発明に係る発電浮体は造船所で建造されるもので、産業上の利用可能性を有するものである。【００１７】国内及び世界中の農、漁村が都市化に進むにつれて、環境無害の電力供給を行う事が重要である。潮流発電機器のメンテナンスが確実に出来れば潮流電力は恒久的に供給出来るのである。【００１８】南極の氷山が雄叫びを上げて崩れてゆく姿を見れば，地球環境に真剣に対応する事が大きな課題である。その為の一環として潮流発電を提供するものである。
【符号の説明】
【００１９】  １    外側鋼管
２    スライド管
３    プロペラ
４    プロペラ伝動歯車
５    回転タテ軸
６    シャフト伝動歯車
７    発電機
８    発電機シャフト
９    クラッチ
１０  浮体底床材
１１  外側鋼管フランジ
１２  クレーンフック
１３  プロペラ軸固定盤
１４  吃水線
１５  プロペラ保護柵
１６  浮体底部
１７  浮体の側壁
１８  浮体底開口部
１９  スライド管固定ボルト
２０  潮流